(57)【要約】【課題】  防水扉を起立する際の操作力の急激な増加を抑制できる防水扉の起立補助装置を提供するものである。【解決手段】  防水扉１とケース２間に起立補助装置８を設ける。その起立補助装置８を初期起立補助手段と後期起立補助手段４４とから構成する。初期起立補助手段により、倒伏位置から所定の起立角度位置まで防水扉１を起立方向に付勢すると共にヒンジの可動ベースをベース板に向けて付勢する。このとき後期起立補助手段４４のねじりコイルバネ５０は上下ブラケット４７，４９間に圧縮状態に保持されたまま防水扉１と一体に揺動し、防水扉１が所定の起立角度位置となると保持が解除され、防水扉１を付勢する。【選択図】  図１２
2006083595.tif 000002
【特許請求の範囲】
【請求項１】
防水扉の基部に、防水扉を収納凹部の上部開口を閉塞する倒伏位置から起立させる時に、防水扉の基部を扉枠から離れるように後退させつつ扉枠に向けて回動させるように構成した収納凹部に設けた防水扉用ヒンジを連結すると共に、防水扉の起立を補助する起立補助装置を備えた防水扉装置において、起立補助装置は倒伏位置から起立方向に防水扉を回動する時、防水扉基部が扉枠から離れる後退移動から扉枠に向けて近づく回動に転じる所定の起立角度位置から防水扉を起立方向に付勢する後期起立補助手段を備えていることを特徴とする防水扉装置。
【請求項２】
後期起立補助手段に含まれる起立補助用付勢部材は、防水扉の倒伏位置から所定の起立角度位置まで防水扉と一体に回動し、所定の起立角度位置から付勢力を付与することを特徴とする請求項１記載の防水扉装置。
【請求項３】
後期起立補助手段は、固定ブラケットに下ブラケットを支持軸を介して扉起倒方向に揺動可能に軸支し、下ブラケットに起立補助用付勢部材を設けると共に上ブラケットを前記支持軸を介して揺動可能に設けて上ブラケットを下ブラケットに対する近接位置において前記起立補助付勢部材を圧縮状態に保持可能とし、前記起立補助用付勢部材をその付勢力で防水扉を起立できるように防水扉と連繋し、固定ブラケットと上下ブラケットとの間には上下ブラケットの揺動運動を制御する制御機構を介在させ、該制御機構は、防水扉が倒伏位置から所定の起立角度位置となるまでは上ブラケットを前記近接位置に固定したまま下ブラケットと共に防水扉起立方向に防水扉と一体に揺動させ、所定の起立角度位置を過ぎると上ブラケットの下ブラケットに対する固定を解除すると共に下ブラケットが固定ブラケットに固定されるように構成されていることを特徴とする請求項１または２記載の防水扉装置。
【請求項４】
制御機構は、下ブラケットの側壁に形成した長孔と、上ブラケットの側壁に形成した前記長孔と略同様な形状で防水扉の傾倒方向に開口する離脱開口部を設けた係脱溝と、固定ブラケットに形成した制御カム溝と、カムピンとから構成され、カムピンを係脱溝と長孔と制御カム溝とに挿通し、防水扉の倒伏位置から所定の起立角度位置までは制御カム溝の分離規制カム面によりカムピンを係脱溝の係合保持部に位置して上下ブラケットを一体に固定し、所定の起立角度位置でカムピンが制御カム溝の分離規制カム面から制御カム溝の固定カム部に移動して下ブラケットを固定ブラケットに固定すると共に係脱溝の離脱開口部に位置して上ブラケットの下ブラケットに対する固定を解除するように構成したことを特徴とする請求項３記載の防水扉装置。
【請求項５】
起立補助装置は、倒伏位置から所定の起立角度位置までの間、防水扉を起立方向に付勢する初期起立補助手段を備えていることを特徴とする請求項１〜４何れか１項記載の防水扉装置。
【請求項６】
ヒンジを、固定部分に固定配置される固定ベースに可動ベース先端を支持軸により揺動可能に軸支し、その可動ベースに第１リンクの下端部を回動自在に連結し、また、可動ベースには、第１リンクと可動ベースの連結部から離れた位置に第２リンクの下端部を回動自在に連結し、防水扉に一体固着する扉取付部材に、前記第１，第２リンクの上端部を枢着して構成し、防水扉の倒伏位置から所定の起立角度位置までの間、可動ベースが固定ベースから離れる方向への揺動を規制し、所定の起立角度位置から可動ベースの揺動の規制を解除するように初期起立補助手段を防水扉の先端部と可動ベースの支持軸から離れた位置との間に配置したことを特徴とする請求項５記載の防水扉装置。
【請求項７】
後期起立補助手段の起立補助用付勢部材はねじりコイルバネであることを特徴とする請求項５または６記載の防水扉装置。
【請求項８】
初期起立補助手段はガスダンパであることを特徴とする請求項５〜７何れか１項記載の防水扉装置。
【発明の詳細な説明】
【技術分野】
【０００１】
この発明は、防水扉を起立方向に付勢する起立補助装置を備えた防水扉装置に関するものである。
【背景技術】
【０００２】
従来、特許文献１に記載のように、防水扉を起立方向に付勢するばねとダンパ機能付きの付勢部材とからなる起立補助装置により、防水扉の重量を軽減する防水扉装置が公知である。防水扉は、床面に埋設されたケースにヒンジを介して起倒可能に設けられている。該ダンパ機能付きの付勢部材は、一端がケースのヒンジ側に連結されており、他端が防水扉の先端部に連結され、防水扉が倒伏状態から所定角度起立するまで防水扉の先端部を上方に付勢すると共に防水扉を後方に付勢する。また、該ばねは、防水扉の倒伏状態から起立状態に至るまで防水扉を付勢する。また、該ばねの起立状態の防水扉に対する付勢力は、極めて小さくなるようになっている。
【特許文献１】特開平１０−２３８２４０号公報
【０００３】
また、防水扉を倒伏位置から起立させる時に防水扉の基部を扉枠から離れるように後退させつつ扉枠に向けて回動させるヒンジ装置を備えた防水扉装置として本願出願人が先に出願した先行出願１（特願２００３−４２６９２１号）の技術がある。このヒンジ装置を図２〜４を参照して説明すると、固定ベース１１に連結した可動ベース１２に第１リンク１４と第２リンク１５の下端部を連結し、第１リンク１４と第２リンク１５の上端部を防水扉１の基部１ａに連結してなる。防水扉１の起立時には倒伏位置Ａから所定の起立角度位置Ｃまでは第１リンク１４と第２リンク１５のリンク動作により防水扉１の基部１ａを扉枠４から離れるように後退させながら防水扉１が起立方向に回動し、所定の起立角度位置Ｃからは第１リンク１４と第２リンク１５が固定され固定ベース１１と可動ベース１２とを連結する支持軸１３を中心として防水扉１が起立方向に回動する。
【発明の開示】
【発明が解決しようとする課題】
【０００４】
先行出願１の技術では、第１リンク１４と第２リンク１５とのリンク動作により防水扉１が所定の起立角度位置Ｃに向けて回動する時の瞬間中心は、固定ベース１１と可動ベース１２とを連結する支持軸１３より防水扉１の重心寄り（先端部１ｂ）に向けて移動しており（図３を参照すると一点鎖線で示す曲線Ｌ上を移動）、防水扉１が所定の起立角度位置Ｃから回動する時の瞬間中心は固定ベース１１と可動ベース１２とを連結する支持軸１３である。防水扉１の瞬間中心は所定の起立角度位置Ｃを境に支持軸１３より重心側（先端部側）の位置から支持軸１３に移動し防水扉１の重心と瞬間中心との距離が長くなる。このため防水扉１を起立する際の回転モーメントが、例えば図１３の起立補助装置なしの場合の操作力Ｆｂに示すように、所定の起立角度位置ＣでＦｂ１からＦｂ２に急激に増大することとなり、特に手動で防水扉１を起立させる場合、所定の起立角度位置Ｃを境に防水扉１を押上げるための操作力が大きくなり好ましくない。また、特許文献１の技術において、防水扉の重量を軽減するためのばねは防水扉の倒伏位置から起立位置に至るまでの全過程で防水扉を防水扉の起立方向に付勢するものであり、このようなばねを先行出願１の技術に適用しても、所定の起立角度位置を境とした操作力の急激な増加の変化に対応して、所定の起立角度位置での操作力の増加を小さく抑えるように制御することはできない。また、ばねは防水扉の倒伏位置から起立位置に至るまで防水扉を付勢しているので、防水扉が立ち上がるにつれて付勢力が弱くなり防水扉の重量を軽減するための補助効果が極めて小さくなり、また、逆に防水扉を起立状態から倒伏位置に倒伏する場合、ばねが大きく圧縮され、倒伏状態とする時に強い力を必要とする。
この発明は、防水扉を起立する際の操作力の急激な増加を抑制できると共に防水扉を起立状態から倒伏位置にするときには小さい操作力で倒伏でき、起立時において起立位置に近づいても防水扉を起立する際の補助としてのばねの付勢力が衰えない起立補助装置を備えた防水扉装置を提供することである。
【課題を解決するための手段】
【０００５】
本発明の防水扉装置は、防水扉の基部に、防水扉を収納凹部の上部開口を閉塞する倒伏位置から起立させる時に、防水扉の基部を扉枠から離れるように後退させつつ扉枠に向けて回動させるように構成した収納凹部に設けた防水扉用ヒンジを連結すると共に、防水扉の起立を補助する起立補助装置を備えた防水扉装置において、起立補助装置は倒伏位置から起立方向に防水扉を回動する時、防水扉基部が扉枠から離れる後退移動から扉枠に向けて近づく回動に転じる所定の起立角度位置から防水扉を起立方向に付勢する後期起立補助手段を備えていることを特徴とする。
【０００６】
前記後期起立補助手段に含まれる起立補助用付勢部材は、防水扉の倒伏位置から所定の起立角度位置まで防水扉と一体に回動し、所定の起立角度位置から付勢力を付与することを特徴とする。
【０００７】
前述の後期起立補助手段は、固定ブラケットに下ブラケットを支持軸を介して扉起倒方向に揺動可能に軸支し、下ブラケットに起立補助用付勢部材を設けると共に上ブラケットを前記支持軸を介して揺動可能に設けて上ブラケットを下ブラケットに対する近接位置において前記起立補助付勢部材を圧縮状態に保持可能とし、前記起立補助用付勢部材をその付勢力で防水扉を起立できるように防水扉と連繋し、固定ブラケットと上下ブラケットとの間には上下ブラケットの揺動運動を制御する制御機構を介在させ、該制御機構は、防水扉が倒伏位置から所定の起立角度位置となるまでは上ブラケットを前記近接位置に固定したまま下ブラケットと共に防水扉起立方向に防水扉と一体に揺動させ、所定の起立角度位置を過ぎると上ブラケットの下ブラケットに対する固定を解除すると共に下ブラケットが固定ブラケットに固定されるように構成されていることを特徴とする。
【０００８】
前記制御機構は、下ブラケットの側壁に形成した長孔と、上ブラケットの側壁に形成した前記長孔と略同様な形状で防水扉の傾倒方向に開口する離脱開口部を設けた係脱溝と、固定ブラケットに形成した制御カム溝と、カムピンとから構成され、カムピンを係脱溝と長孔と制御カム溝とに挿通し、防水扉の倒伏位置から所定の起立角度位置までは制御カム溝の分離規制カム面によりカムピンを係脱溝の係合保持部に位置して上下ブラケットを一体に固定し、所定の起立角度位置でカムピンが制御カム溝の分離規制カム面から制御カム溝の固定カム部に移動して下ブラケットを固定ブラケットに固定すると共に係脱溝の離脱開口部に位置して上ブラケットの下ブラケットに対する固定を解除するように構成したことを特徴とする。
【０００９】
また、起立補助装置は、倒伏位置から所定の起立角度位置までの間、防水扉を起立方向に付勢する初期起立補助手段を備えていることを特徴とする。
【００１０】
ヒンジを、固定部分に固定配置される固定ベースに可動ベース先端を支持軸により揺動可能に軸支し、その可動ベースに第１リンクの下端部を回動自在に連結し、また、可動ベースには、第１リンクと可動ベースの連結部から離れた位置に第２リンクの下端部を回動自在に連結し、防水扉に一体固着する扉取付部材に、前記第１，第２リンクの上端部を枢着して構成し、防水扉の倒伏位置から所定の起立角度位置までの間、可動ベースが固定ベースから離れる方向への揺動を規制し、所定の起立角度位置から可動ベースの揺動の規制を解除するように初期起立補助手段を防水扉の先端部と可動ベースの支持軸から離れた位置との間に配置したことを特徴とする。
【００１１】
後期起立補助手段の起立補助用付勢部材はねじりコイルバネであることを特徴とする。
【００１２】
初期起立補助手段はガスダンパであることを特徴とする。
【発明の効果】
【００１３】
本発明の防水扉装置では、防水扉基部が扉枠から離れる後退移動から扉枠に向けて近づく回動に転じる所定の起立角度位置からは起立補助装置の後期起立補助手段により防水扉を起立方向に付勢するように構成したから、所定の起立角度位置での防水扉の瞬間中心の移動による急激な操作力の増大を後期起立補助手段の付勢力によって制御抑制できて好ましい。また、後期起立補助手段は、所定の起立角度位置から起立位置の範囲で防水扉を付勢するので、小さな付勢力のものであっても、防水扉が起立位置となっても付勢力を強く保つことができると共に防水扉を倒伏位置とするときに、所定の起立角度位置から倒伏位置の範囲では後期起立補助手段の付勢力が作用しないので好適である。
【実施例】
【００１４】
図１に示す防水扉装置９は、建物や駐車場等の出入口の床面Ｆに形成された収納凹部６に設けられる。収納凹部６にはケース２が設置され、ケース２にヒンジ１０を介して防水扉１が配設さている。防水扉装置９は、防水扉１を作業者による手動操作により防水扉１の基部１ａに連結されたヒンジ１０を介してケース２上部開口を閉塞する倒伏した状態（図２の倒伏位置Ａ）から前記出入口を閉塞する起立状態（図４の起立位置Ｂ）に起立させるものである。そして、起立した防水扉１を後述するロック装置２０によりケース２の前板２ａ側の左右に立設されたパッキン部材３付きの扉枠４に押し付けた状態でロックするようになっている。この防水扉装置９は、防水扉１が倒伏位置Ａから起立位置Ｂに起立させられるとき、防水扉１を起立位置Ｂに向けて付勢し起立を補助する起立補助装置８を備えている。ケース２に沿って縁材５が取り付けられている。パッキン部材３はケース２の前板２ａに水平方向（防水扉幅方向）に取り付けられ、そのパッキン部材３の両端と、前記扉枠４の垂直方向のパッキン部材３下端部と連続させてある。尚、パッキン部材３は、パッキン部材３と対応する防水扉１の基部１ａ側両端部分に形成された切り欠き部を通過し、倒伏位置Ａにある防水扉１と干渉しないようになっている。ケース２には、図示しない排水管が連結され、その排水管を通ってケース２内に侵入してきた水を排水するようになっている。ケース２の後板２ｂには倒伏位置Ａにある防水扉１の先端部１ｂを支持する支持材７が取り付けてある。
【００１５】
前記ヒンジ１０について説明する。ケース２の底板（固定部分）２ｃには、前板２ａ側の左、右にベース板１８を介して夫々固定ベース１１が固定的に配置されている。各固定ベース１１には、図５に示すように当接部１２ａの防水扉１の幅方向左右に一体に相対向する一対の可動ブラケット１２ｂを立設した断面が略Ｕ字形状の可動ベース１２の先端が支持軸１３により防水扉１の起倒方向に揺動可能に枢着されている。その可動ベース１２の中間部（支持軸１３より防水扉先端部１ｂ側）には、リンク動作固定部１４ａを備えた第１リンク１４の下端部を可動ブラケット１２ｂの間に入れた状態で回動自在にピン連結している。可動ベース１２の後端部分には、前記第１リンク１４長より長く設定してある第２リンク１５の下端部を可動ブラケット１２ｂ間に入れた状態で回動自在にピン連結してある。防水扉１の背面に固着されたチャンネル材２６に一体固着する扉取付部材１６に、前記第１、第２リンク１４，１５の他端部が枢着されている。このリンク構造のヒンジ１０を防水扉１の基部１ａに連結したことで、防水扉１の先端部１ｂを起立方向へ揺動させると、第１、第２リンク１４，１５のリンク動作によって防水扉１の基部１ａが扉枠４から離れるように後退し、第１リンク１４のリンク動作固定部１４ａが当接部１２ａに当接すると、第１、第２リンク１４，１５のリンク動作が固定され、扉枠４から離れるように後退していた防水扉１の基部１ａの動作が停止する（図３）。これ以降は、支持軸１３を中心として第１、第２リンク１４，１５と共に可動ベース１２が扉枠４に向けて揺動することで、防水扉１の基部１ａが扉枠４に向けて回動されるようになっている（図４）。
【００１６】
次にロック装置２０について図１〜４及び図６により説明する。ケース２の底板２ｃには、後板２ｂ側の左、右にベース板１８を介して夫々ブラケット２２が固定的に配置されている。ブラケット２２には、ロックバー２３の基端部２４が球面軸受を介して連結されており、ロックバー２３が所定の角度範囲内で任意の方向に傾動可能となっている。前記チャンネル材２６は、防水扉１の背面のヒンジ１０と対応する左右に取り付けられており、断面コ字状に形成されている。チャンネル材２６の下面には板部材２７を介して左右一対の案内レール２９が取り付けられ、板部材２７と案内レール２９との間には扉縦方向に溝３０が形成されている。その溝３０にはスライド部材３１が扉縦方向に移動可能に挿入されている。スライド部材３１の先端側（防水扉１の先端部１ｂ側）にはロックバー２３先端の係脱部である第１軸部材３２が扉幅方向と平行に取り付けられている。また、スライド部材３１の先端側には、前記第１軸部材３２に係合したロックバー２３先端が干渉しないように切り欠き部３３が形成されている。ロックバー２３先端には前記第１軸部材３２に係脱可能な溝３４が形成されている。
【００１７】
前記チャンネル材２６には、スライド部材３１に対して防水扉１の基部１ａ側となる位置にハンドル３６を回動するように設け、そのハンドル３６は前記スライド部材３１とハンドル軸３７、揺動アーム３８、リンク部材３９から成る連結部材４０で連繋されている。チャンネル材２６に回動自在に支持されたハンドル軸３７には左右一対の揺動アーム３８が一体的に取り付けてあり、左右の揺動アーム３８の先端はピン部材４１によって連結されている。そのピン部材４１にはＬ字状のリンク部材３９の後端が回動自在に連結されている。リンク部材３９の先端は、スライド部材３１の後端側（防水扉基部１ａ側）に取り付けられた第２軸部材４２に回動自在に連結されている。このことから、ハンドル３６の回動により連結部材４０を介してスライド部材３１が扉縦方向（防水扉の基部１ａと先端部１ｂ間方向）に移動するようになっている。防水扉１の背面には、防水扉１の揺動中に前記ハンドル３６が回動しないように図示しない保持具が設置されている。
【００１８】
次に起立補助装置８について説明する。起立補助装置８は、防水扉１が倒伏位置Ａから防水扉１の基部１ａが扉枠４から離れる後退移動から扉枠４に向けて近づく回動に転じる所定の起立角度位置Ｃまでの間にあるとき、防水扉１を起立方向に付勢する初期起立補助手段４３と（図２）、所定の起立角度位置Ｃから起立位置Ｂまで防水扉１を起立方向に付勢する図１０に示す後期起立補助手段４４とを備えている。初期起立補助手段４３はガスダンパであり、図５に示すように１対のガスダンパ４３がヒンジ１０の左右側に設けられている。ガスダンパ４３は、その防水扉１の基部１ａ側のピストンロッド先端４３ｂが可動ベース１２の後端部に揺動可能に連結され、防水扉１の先端部１ｂ側の端部４３ｃがチャンネル材２６に揺動可能に連結されている。このガスダンパ４３は、防水扉１の先端部１ｂを防水扉１の先端部１ｂ方向に付勢すると共に起立方向に付勢する。
【００１９】
後期起立補助手段４４は、前板２ａ側の左右にヒンジ１０に隣接して設けられている（図１）。図７に示すように、底板２ｃには固定ベース４５が夫々配設されている。各固定ベース４５には、一対の固定ブラケット４６が扉幅方向左右に対向して固定的に立設されている。左右の固定ブラケット４６間には、上ブラケット４７が配置されている。上ブラケット４７は、図９に示すように上壁４７ａに連続して左右の側壁４７ｂが屈曲形成されており、その左右の側壁４７ｂと左右の固定ブラケット４６とが、その基端部（図１０において防水扉１の基部１ａ側の部分）で支持軸４８により扉起倒方向に相対的に揺動可能に軸支されている。また、上ブラケット４７の左右の側壁４７ｂ間には、下ブラケット４９が配置されている。下ブラケット４９は、図９に示すように下壁４９ａに連続して左右の側壁４９ｂが屈曲形成されており、下ブラケット４９の左右の側壁４９ｂの基端部で前記支持軸４８により、固定ブラケット４６に対して扉起倒方向に揺動可能に軸支してある。
【００２０】
上ブラケット４７の上壁４７ａと下ブラケット４９の下壁４９ａの間には、図７に示すように、起立補助用付勢部材５０が介装されている。起立補助用付勢部材５０はねじりコイルバネであり、その一端部５０ａが下ブラケット４９の下壁４９ａに当接して固着されており、他端部５０ｂが上ブラケット４７の上壁４７ａに当接可能となっている。また、ねじりコイルバネ５０の他端部５０ｂにはガイドバー５１が嵌合され、ガイドバー５１の先端にローラガイド５２を介してガイドローラ５３ａ，５３ｂが回動可能に設けられている。このガイドローラ５３ａ，５３ｂは、防水扉１の背面に取り付けられた下方を開口した断面矩形に形成されたガイドレール５４の上案内面５４ａと一対の下案内面５４ｂを夫々転動可能となっており、ねじりコイルバネ５０はガイドローラ５３ａとガイドレール５４を介して防水扉１に起立方向の付勢力を作用できるようになっている。
【００２１】
また、図７に示すように、固定ブラケット４６と上下ブラケット４７，４９との間には上下ブラケット４７，４９の揺動運動を制御する制御機構５５が介在してある。制御機構５５は、下ブラケット４９の側壁４９ｂに形成した長孔４９ｃと、上ブラケット４７の側壁４７ｂに形成した前記長孔４９ｃと略同様な形状で防水扉１の傾倒方向に開口する離脱開口部４７ｄを設けた係脱溝４７ｃと、固定ブラケット４６に形成した制御カム溝４６ａと、カムピン５６とから構成され、カムピン５６が係脱溝４７ｃと長孔４９ｃと制御カム溝４６ａとを挿通している。制御カム溝４６ａは、分離規制カム面４６ｂと固定カム部４６ｃと案内部カム４６ｄを備えており、分離規制カム面４６ｂは支持軸４８を中心とする円弧面に形成され、固定カム部４６ｃは分離規制カム面４６ｂに連続し分離規制カム面４６ｂより半径方向外側に向けて斜め上方に伸び、上下ブラケット４７，４９が所定の起立角度位置Ｃにあるとき係脱溝４７ｃと長孔４９ｃと略一致するように形成されている。また、案内部カム４６ｄは分離規制カム面４６ｂと対向し、固定カム部４６Ｃと連続して形成されており、上下ブラケット４７，４９が所定の起立角度位置Ｃ近傍となるとカムピン５６を固定カム部４６Ｃに向けて案内する。
【００２２】
分離規制カム面４６ｂは、防水扉１が倒伏位置Ａから所定の起立角度位置Ｃまでにあるとき、カムピン５６が摺動可能であり、カムピン５６の上下ブラケット４７，４９先端方向（防水扉１の先端部１ｂ側方向）への移動を規制し、カムピン５６を長孔４９ｃの下ブラケット４９基端部側と係脱溝４７ｃの上ブラケット４７基端部側の係合保持部４７ｅに位置させる。このカムピン５６が分離規制カム面４６ｂと係合保持部４７ｅとの間に位置するとき、図７に示すように、上ブラケット４７を下ブラケット４９に対する近接位置で一体に固定し、ねじりコイルバネ５０を上下ブラケット４７，４９間に圧縮状態で保持させる。
【００２３】
固定カム部４６ｃは、防水扉１と一緒に上下ブラケット４７，４９が所定の起立角度位置Ｃに回動されるとき、カムピン５６が分離規制カム面４６ｂから案内部カム４６ｄで押されて固定カム部４６ｃに移動して嵌り込み、下ブラケット４９を固定ブラケット４６に防水扉１の起立方向へ揺動不能に固定する。この固定カム部４６ｃにカムピン５６が嵌り込むと、カムピン５６は上ブラケット４７の支持面４７ｆにより固定カム部４６ｃから下がることが規制される。また、このときカムピン５６は、係脱溝４７ｃの離脱開口部４７ｄに位置して上ブラケット４７の下ブラケット４９に対する固定を解除する（図１１）。制御機構５５は上記のように防水扉１が倒伏位置Ａから所定の起立角度位置Ｃに揺動するとき、上ブラケット４７を下ブラケット４９の近接位置に固定した状態としているので、上ブラケット４７は下案内面５４ｂがガイドローラ５３ｂに当接することでねじりコイルバネ５０を介して下ブラケット４９と一体に防水扉１起立方向に揺動する。また、制御機構５５は所定の起立角度位置Ｃで上ブラケット４７の下ブラケット４９に対する固定を解除すると共に下ブラケット４９を固定ブラケット４６に固定するので、ねじりコイルバネ５０は圧縮状態が解除され防水扉１に対して付勢力を付与することになる。
【００２４】
次に、防水扉装置９の作動について説明する。建物や駐車場等の出入口の床面Ｆに埋設されたケース２に配設された防水扉１は、通常、ケース２の上部開口を閉塞する状態（倒伏位置Ａ）としてある。ロック装置２０のロックバー２３は、図１に示すように、横倒しされてケース２内に収められている。大雨等によって建物や駐車場等の出入口に浸水が生じる恐れが発生した場合には、作業者による手動操作により防水扉１の先端部１ｂを倒伏位置Ａから起立方向に向かって揺動させる。その時、防水扉１の基部１ａは、第１、第２リンク１４，１５のリンク動作により扉枠４から離れるように後退する（図３）。この時、前記のようにガスダンパ４３は防水扉１に付勢力を付与すると共にヒンジ１０の可動ベース１２をベース板１８に向けて押付けている。また、ねじりコイルバネ５０は、制御機構５５により一体とされた上下ブラケット４７，４９間に圧縮状態で保持されているので防水扉１に対して付勢力を付与することはなく、上下ブラケット４７，４９と共に防水扉１と一体に揺動する。
【００２５】
そして、防水扉１が所定の起立角度位置Ｃとなると、図３に示すように、第１リンク１４のリンク動作固定部１４ａが当接部１２ａに当接し、第１、第２リンク１４，１５のリンク動作が固定される。この時、ガスダンパ４３のピストンロッド４３ａはこれ以上伸びることができなくなり、防水扉１及び可動ベース１２を付勢しなくなる。また、制御機構５５は上下ブラケット４７，４９の固定を解除し、下ブラケット４９を所定の起立角度位置Ｃで固定ブラケット４６に固定する（図１１）。この所定の起立角度位置Ｃで固定された下ブラケット４９上からねじりコイルバネ５０は防水扉１を防水扉起立方向に付勢する。更に防水扉１が揺動されると、防水扉１の基部１ａが扉枠４に向けて回動され、防水扉１が起立位置 Ｂとなると作業者によってロックバー２３先端がスライド部材３１に係合され、図２、図３に示す防水扉１と平行な待機位置のハンドル３６を回動することでスライド部材３１が扉縦方向において基部１ａ側に移動し防水扉１を扉枠４に押付け、出入口からの浸水が防止される（図４）。
【００２６】
また、防水扉１の倒伏時には、所定の起立角度位置Ｃから起立位置Ｂまでを付勢するねじりコイルバネ５０と倒伏位置Ａから所定の起立角度位置Ｃまでを付勢するガスダンパ４３の付勢力に抗して防水扉１を傾倒すれば良いので、倒伏位置Ａから起立位置Ｂまで付勢する起立補助用付勢部材を備えた場合に比べ小さい付勢力で防水扉１を倒伏できる。
【００２７】
上記防水扉装置９の起立操作時において、防水扉１を起立する際に起立補助装置８による付勢力が防水扉１に作用しない場合、即ち起立補助装置なしで防水扉１を起立するために必要な操作力Ｆｂは図１３に示すように変化する。この操作力Ｆｂは、図１３に示すように、所定の起立角度位置Ｃ（本実施例では４５°に設定）で瞬間的に増大する。これは、防水扉１の倒伏位置Ａから所定の起立角度位置Ｃまでの揺動の中心は、第１、第２リンク１４，１５と可動ベース１２と扉取付部材１６とからなる４節リンクのリンク動作により図３に一点鎖線で示す曲線Ｌ上を移動する瞬間中心Ｏ１にあり、所定の起立角度位置Ｃからは支持軸１３を揺動の中心Ｏ２としており、防水扉１起立時に所定の起立角度位置Ｃまでは支持軸１３より防水扉１の先端部１ｂ側で移動していた揺動の中心である瞬間中心Ｏ１が、所定の起立角度位置Ｃで第１、第２リンク１４，１５の固定により揺動の中心Ｏ２に移動するためである。
【００２８】
ヒンジ１０の第１、第２リンク１４，１５と可動ベース１２と扉取付部材１６とからなる４節リンクにおける防水扉１が所定の起立角度位置Ｃとなった時の可動ベース１２に対する扉取付部材１６、即ち可動ベース１２に対する防水扉１の瞬間中心は図３に示すＯ１ａである。防水扉１が所定の起立角度位置Ｃとなったときの、防水扉１の重心Ｇと瞬間中心Ｏ１ａの距離はＬ１ａであり、防水扉１の重心Ｇと揺動の中心Ｏ２の距離はＬ２である。また、このときの防水扉１の重心Ｇと作業者の操作力が作用する防水扉１の先端部１ｂとの距離はＬ３であり、瞬間中心Ｏ１ａと操作力が作用する先端部１ｂとの距離はＬ１ａ+Ｌ３であり、揺動の中心Ｏ２と操作力が作用する先端部１ｂとの距離はＬ２+Ｌ３である。防水扉１の重量をｇ、瞬間中心Ｏ１ａ、揺動の中心Ｏ２に対する操作力をＦｂ１、Ｆｂ２とすると、瞬間中心Ｏ１ａ回りの防水扉１重量ｇのモーメントと操作力Ｆｂ１のモーメントの釣合よりＦｂ１＝（Ｌ１ａ×ｇ）／（Ｌ１ａ＋Ｌ３）であり、揺動の中心Ｏ２回りの防水扉１重量ｇのモーメントと操作力Ｆｂ２のモーメントの釣合よりＦｂ２＝（Ｌ２×ｇ）／（Ｌ２＋Ｌ３）である。Ｆｂ２／Ｆｂ１＝（Ｌ１ａＬ２＋Ｌ２Ｌ３）／（Ｌ１ａＬ２＋Ｌ１ａＬ３）であり、図３から明らかのようにＬ１ａ＜Ｌ２より、Ｆｂ２／Ｆｂ１＞１なので、所定の起立角度位置Ｃにおいて揺動の中心がＯ１ａからＯ２となると、防水扉１を揺動するのに必要な操作力がＦｂ１からＦｂ２に増加する。尚、揺動の中心Ｏ２に対して防水扉１が揺動するとき可動ベース１２等の重量が加わるが、防水扉１の重量に対して可動ベース１２等の重量は小さいので、上記説明では可動ベース１２等による重量の増加及び重心の移動は無視している。
【００２９】
この操作力のＦｂ１からＦｂ２への増大を妨ぐため起立補助装置８は、防水扉１が起立方向に揺動し、所定の起立角度位置Ｃで防水扉１の揺動の中心が瞬間中心Ｏ１ａから揺動の中心Ｏ２に転じるまではガスダンパ４３により防水扉１を付勢して操作力を軽減しており、所定の起立角度位置Ｃで防水扉１の揺動の中心が瞬間中心Ｏ１ａから揺動の中心Ｏ２に転じると、防水扉１と一体に所定の起立角度位置Ｃに揺動した下ブラケット４９からねじりコイルバネ５０の付勢力を防水扉１に作用させる。この後期起立補助手段４４による付勢力が付与されたときの防水扉１起立時の操作力Ｆａは図１３に示すようになり、瞬間中心Ｏ１ａから揺動の中心Ｏ２に変化する際にねじりコイルバネ５０により防水扉１起立方向の付勢力を付与することより所定の起立角度位置Ｃでの防水扉１の操作力の急激な増大を抑制することができ、以降はねじりコイルバネ５０の付勢力により操作力を軽減する。
【図面の簡単な説明】
【００３０】
【図１】本願発明の起立補助装置を備えた防水扉装置を示す平面図である。
【図２】防水扉を倒伏位置とした時のヒンジと初期起立補助手段を示す側面図である。
【図３】防水扉を所定の起立角度位置とした時のヒンジと初期起立補助手段を示す側面図である。
【図４】防水扉を起立位置とした時のヒンジと初期起立補助手段を示す側面図である。
【図５】図２のＶ視図である。
【図６】図２のＶＩ−ＶＩ線断面図である。
【図７】後期起立補助手段の側面図である。
【図８】後期起立補助手段の平面図である。
【図９】図７のＩＸ視図である。
【図１０】防水扉を倒伏位置とした時の後期起立補助手段を示す側面図である。
【図１１】防水扉を所定の起立角度位置とした時の後期起立補助手段を示す側面図である。
【図１２】防水扉を起立位置とした時の後期起立補助手段を示す側面図である。
【図１３】防水扉を起立させるに要する操作力を示す説明図である。
【符号の説明】
【００３１】
１  防水扉
１ａ  基部
１ｂ  先端部
４  扉枠
８  起立補助装置
９  防水扉装置
１０  ヒンジ
１１  固定ベース
１２  可動ベース
１３  支持軸
１４  第１リンク
１５  第２リンク
１６  扉取付部材
４３  初期起立補助手段（ガスダンパ）
４４  後期起立補助手段
４６  固定ブラケット
４６ａ  制御カム溝
４６ｂ  分離規制カム面
４６ｃ  固定カム部
４７  上ブラケット
４７ｂ  側壁
４７ｃ  係脱溝
４７ｄ  離脱開口部
４７ｅ  係合保持部
４８  支持軸
４９  下ブラケット
４９ｂ  側壁
４９ｃ  長孔
５０  起立補助用付勢部材（ねじりコイルバネ）
５５  制御機構
５６  カムピン
Ａ  倒伏位置
Ｃ  所定の起立角度位置
【図１】
2006083595.tif 000003
【図２】
2006083595.tif 000004
【図３】
2006083595.tif 000005
【図４】
2006083595.tif 000006
【図５】
2006083595.tif 000007
【図６】
2006083595.tif 000008
【図７】
2006083595.tif 000009
【図８】
2006083595.tif 000010
【図９】
2006083595.tif 000011
【図１０】
2006083595.tif 000012
【図１１】
2006083595.tif 000013
【図１２】
2006083595.tif 000014
【図１３】
2006083595.tif 000015